【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
電力分配ネットワークの電子リレー（２）を設定するための方法（CFP）であって、
前記電子リレーは、結合ノード(PoC)において、第1の活電回路(１００)と第２の活電回路(２００)とを電気的に接続または切断するように適合されたスイッチング装置(S1)に動作可能に関連付けられて動作するものであり、
前記電子リレーは、前記第１および第２の活電回路(１００、２００)間の切断に続いて、前記第１および第２の活電回路(１００、２００)間の再接続を可能にする同期再閉機能を提供することができるものであり、
以下のステップ：
−ユーザによって起動可能なグラフィックリソース(11, 12, 13, 14)を含むグラフィックユーザインタフェース(５００)を、コンピュータディスプレイ(５２)上に提供するステップと、
−前記第１および第２の活電回路（１００、２００）の少なくとも１つの動作に関連する第１の動作パラメータを設定するための第１の設定値（CF1）を提供する際にユーザを支援するために、前記グラフィックユーザインタフェース上に、第１のグラフィックリソース(１１)を提供し、前記第１の動作パラメータは、前記同期再閉機能を提供するために前記電子リレーによって処理されるステップと、
−前記第１および第２の活電回路（１００、２００）に要求される第１の動作条件に関連する第２の動作パラメータを設定するための第２の設定値（CF2）を提供する際にユーザを支援するために、前記グラフィックユーザインタフェース上に、第２のグラフィックリソース(１２)を提供して、前記第１および第２の活電回路間の切断に続いて、前記第１および第２の活電回路間の再接続を可能にし、前記第２の動作パラメータは、前記同期再閉機能を提供するために前記電子リレーによって処理されるステップと、
−前記電子リレーが動作するための最小動作要件を満たしているかどうかをチェックするステップと、
−前記電子リレーが前記最小動作要件を満たす場合、少なくとも前記第１および第２の設定値（CF1、CF2）を含む設定情報を、前記電子リレーに送信するステップと、を含むことを特徴とする方法。
【請求項２】
前記第１および第２の活電回路（１００、２００）の少なくとも１つの１つ以上の電源（G1、...、GM）に要求される第２の動作条件に関連する第３の動作パラメータを設定するための第３の設定値（CF3）を提供する際にユーザを支援するために、前記グラフィックユーザインタフェース上に、第３のグラフィックリソース(１３)を提供して、前記第１および第２の活電回路（１００、２００）間の再接続を可能にし、前記第３の動作パラメータは、前記同期再閉機能を提供するために前記電子リレーによって処理されるステップを含むことを特徴とする請求項１に記載の方法。
【請求項３】
前記電子リレー(２)の一つ又は複数の入力および／または出力に関連する第４の動作パラメータを設定するための第４の設定値（CF4）を提供する際にユーザを支援するために、前記グラフィックユーザインタフェース上に、第４のグラフィックリソース(１４)を提供し、前記第４の設定値（CF4）は、前記電子リレーに送信された前記設定情報に含まれるステップを含むことを特徴とする請求項１または２に記載の方法。
【請求項４】
前記第１のグラフィックリソース（１１）は、前記第１の動作パラメータをセットアップするための１つ以上の第１および第２のグラフィックオブジェクト（１１１、１１２）を含み、
前記第１のグラフィックオブジェクト（１１１）は、前記グラフィックユーザインターフェース上に、前記第２のグラフィックオブジェクト(１１２)をアップロードするために起動可能であり、前記第２のグラフィックオブジェクト(１１２)は、前記第１の動作パラメータをセットアップするための前記第１の設定値（CF1）を提供する際にユーザを支援するように構成されることを特徴とする請求項１から３のいずれかに記載の方法。
【請求項５】
前記第２のグラフィックリソース（１２）は、前記第２の動作パラメータをセットアップするための１つ以上の第３および第４のグラフィックオブジェクト（１２１、１２２）を含み、
前記第３のグラフィックオブジェクト（１２１）は、前記グラフィックユーザインターフェース上に、前記第４のグラフィックオブジェクト(１２２)をアップロードするために起動可能であり、
前記第４のグラフィックオブジェクト(１２２)は、前記第２の動作パラメータをセットアップするための前記第２の設定値（CF2）を提供する際にユーザを支援するように構成されることを特徴とする請求項１から４のいずれかに記載の方法。
【請求項６】
前記第３のグラフィックリソース（１３）は、前記第３の動作パラメータをセットアップするための１つ以上の第５および第６のグラフィックオブジェクト（１３１、１３２）を含み、
前記第５のグラフィックオブジェクト（１３１）は、前記グラフィックユーザインターフェース上に、前記第６のグラフィックオブジェクト(１３２)をアップロードするために起動可能であり、
前記第６のグラフィックオブジェクト(１３２)は、前記第３の動作パラメータをセットアップするための前記第３の設定値（CF3）を提供する際にユーザを支援するように構成されることを特徴とする請求項２に記載の方法。
【請求項７】
前記第４のグラフィックリソース（１４）は、前記第４の動作パラメータをセットアップするための１つ以上の第７および第８のグラフィックオブジェクト（１４１、１４２）を含み、
前記第７のグラフィックオブジェクト（１４１）は、前記グラフィックユーザインターフェース上に、前記第８のグラフィックオブジェクト(１４２)をアップロードするために起動可能であり、
前記第８のグラフィックオブジェクト(１４２)は、前記第４の動作パラメータをセットアップするための前記第４の設定値（CF4）を提供する際にユーザを支援するように構成されることを特徴とする請求項３に記載の方法。
【請求項８】
前記グラフィックユーザインターフェース上に、第５のグラフィックリソース（１５）を提供して、ユーザによって入力された１つ以上の設定値（CF2）を、図表を用いて視覚化するステップを含むことを特徴とする請求項１から７のいずれかに記載の方法。
【請求項９】
前記設定情報を前記電子リレーに送信する前記ステップは、以下のステップ：
−前記設定情報の前記電子リレーへの送信を可能にするためにコード化された情報を受信するステップと、
−前記コード化された情報をチェックするステップと、
−前記コード化された情報が正しい場合に、前記電子リレーに前記設定情報を送信するステップと、を含むことを特徴とする請求項１から８のいずれかに記載の方法。
【請求項１０】
前記設定情報が、インターネットまたはLANまたはWANの通信回線を介して、前記電子リレーに送信されることを特徴とする請求項１から９のいずれかに記載の方法。
【請求項１１】
前記第１の活電回路（１００）が、１つ以上の電気負荷（L1、...、LN）と１つ以上の電源（G1、...、GM）を含むマイクログリッドであることを特徴とする請求項１から１０のいずれかに記載の方法。
【請求項１２】
前記第２の活電回路（２００）が、公共送電網であることを特徴とする請求項１から１１のいずれかに記載の方法。
【請求項１３】
記憶媒体に記憶されたまたは格納可能なコンピュータプログラムであって、コンピュータ化された装置（５０）によって実行されたとき、請求項１から１２のいずれかに記載の電子リレー（２）を設定する方法（CFP）を実施するように設定されたソフトウェア命令を含むことを特徴とするコンピュータプログラム。
【請求項１４】
請求項１から１２のいずれかに記載の電子リレー（２）を設定する方法（CFP）を実施するためのソフトウェア命令を実行するように構成されたことを特徴とするコンピュータ化された装置（５０）。
【請求項１５】
請求項１から１２のいずれかに記載の電子リレー（２）を設定する方法（CFP）によって設定された電子リレー（２）。
【請求項１６】
請求項１５に記載の電子リレー（２）を備えるスイッチング装置（S1）。